(57)【要約】【課題】基板におけるネジ固定箇所を少なくすることで小型化を図ることができる電気接続箱を提供する。【解決手段】電気接続箱１は、互いに組み付けられるアッパカバー５及びロアカバー６からなるケース７と、該ケース７に収容された基板４と、該基板４にネジ固定されたコネクタブロック１０等の複数の基板搭載部品と、を備えている。コネクタブロック１０には、該コネクタブロック１０と基板４とをネジ固定するネジ８が取り付けられる第１取付部２１ａと、該コネクタブロック１０とアッパカバー５とを固定する第２取付部２１ｂと、が設けられている。また、第２取付部２１ｂは、基板４を垂直方向から見た時に第１取付部２１ａと重なる位置に設けられている。【選択図】図１
2013005483.tif 000002
【特許請求の範囲】
【請求項１】
ケースと、該ケースに収容された基板と、該基板にネジ固定された基板搭載部品と、を備えた電気接続箱において、
前記各基板搭載部品に、該基板搭載部品と前記基板とをネジ固定するネジが取り付けられる第１取付部が設けられ、
少なくとも一つの前記基板搭載部品に、該基板搭載部品と前記ケースとを固定する第２取付部が少なくとも一つ設けられ、かつ、
前記第２取付部が、前記基板を垂直方向から見た時に前記第１取付部と重なる位置に設けられている
ことを特徴とする電気接続箱。
【請求項２】
前記基板搭載部品が、複数の端子と、該端子を収容したハウジングと、を備えたコネクタブロックを含み、該コネクタブロックに前記第２取付部が設けられている
ことを特徴とする請求項１に記載の電気接続箱。
【発明の詳細な説明】
【技術分野】
【０００１】
本発明は、自動車に搭載される電気接続箱に関するものであり、特に、ケースに収容された基板を備えた電気接続箱に関するものである。
【背景技術】
【０００２】
自動車には多種多様な電子機器が搭載されている。これら多種多様な電子機器に電力供給及び信号伝達を行うために、前記自動車には、適宜箇所に電気接続箱が配置されている。また、本発明では、ジャンクションブロック（ジャンクションボックスとも言う。）、ヒューズブロック（ヒューズボックスとも言う。）、リレーブロック（リレーボックスとも言う。）を、総称して以下電気接続箱と呼ぶ。
【０００３】
この電気接続箱は、車種によりいろいろな構造のものが用いられているが、例えば、図４に示す電気接続箱３０１のように、合成樹脂製のケース３０７と、ケース３０７に収容された基板３０４と、コネクタブロック３１０等の複数の基板搭載部品と、を備えた構造のものがある（特許文献１を参照。）。
【０００４】
上記ケース３０７は、互いに組み付けられるアッパカバー３０５及びロアカバー３０６で構成されている。アッパカバー３０５には、該アッパカバー３０５と基板３０４とをネジ固定するネジ３０８が取り付けられる取付部３１１が設けられている。
【０００５】
上記コネクタブロック３１０は、複数の端子３０３と、これら端子３０３を収容した合成樹脂製のハウジング３０２と、を備えている。ハウジング３０２は、箱状に形成され、相手方のコネクタと嵌合するハウジング本体３２０と、ハウジング本体３２０の外表面から延設された取付部３２１と、で構成されている。このコネクタブロック３１０は、取付部３２１が基板３０４にネジ３０８で固定され、端子３０３が基板３０４にはんだ付けされることで基板３０４に搭載される。
【先行技術文献】
【特許文献】
【０００６】
【特許文献１】特開２００６−７４９８４号公報
【発明の概要】
【発明が解決しようとする課題】
【０００７】
上述した従来の電気接続箱３０１においては、以下に示す問題があった。すなわち、電気接続箱３０１は、コネクタブロック３１０等の複数の基板搭載部品と基板３０４とをそれぞれネジ固定し、さらに、アッパカバー３０５と基板３０４とをネジ固定する構造であるがゆえに、基板３０４にネジ３０８を取り付けるためのスペースを複数設けなければならず、そのために基板３０４が大型化してしまい、電気接続箱３０１自体も大型化してしまうという問題があった。
【０００８】
したがって、本発明は、基板におけるネジ固定箇所を少なくすることで小型化を図ることができる電気接続箱を提供することを目的とする。
【課題を解決するための手段】
【０００９】
上記目的を達成するために請求項１に記載された発明は、ケースと、該ケースに収容された基板と、該基板にネジ固定された基板搭載部品と、を備えた電気接続箱において、前記各基板搭載部品に、該基板搭載部品と前記基板とをネジ固定するネジが取り付けられる第１取付部が設けられ、少なくとも一つの前記基板搭載部品に、該基板搭載部品と前記ケースとを固定する第２取付部が少なくとも一つ設けられ、かつ、前記第２取付部が、前記基板を垂直方向から見た時に前記第１取付部と重なる位置に設けられていることを特徴とする電気接続箱である。
【００１０】
請求項２に記載された発明は、請求項１に記載された発明において、前記基板搭載部品が、複数の端子と、該端子を収容したハウジングと、を備えたコネクタブロックを含み、該コネクタブロックに前記第２取付部が設けられていることを特徴とするものである。
【発明の効果】
【００１１】
請求項１，２に記載された発明によれば、前記各基板搭載部品に、該基板搭載部品と前記基板とをネジ固定するネジが取り付けられる第１取付部が設けられ、少なくとも一つの前記基板搭載部品に、該基板搭載部品と前記ケースとを固定する第２取付部が少なくとも一つ設けられ、かつ、前記第２取付部が、前記基板を垂直方向から見た時に前記第１取付部と重なる位置に設けられているので、基板におけるネジ固定箇所を少なくすることができ、基板の大型化を避けることができる。さらに、第２取付部が設けられる箇所は、第１取付部と重なる位置であり、ケース内のデッドスペースを有効利用することができる。よって、小型化を図ることができる電気接続箱を提供することができる。
【図面の簡単な説明】
【００１２】
【図１】本発明の一実施形態にかかる電気接続箱を示す断面図である。
【図２】図１に示されたコネクタブロックの要部を示す斜視図である。
【図３】図２に示されたコネクタブロックの変形例を示す斜視図である。
【図４】従来の電気接続箱を示す断面図である。
【発明を実施するための形態】
【００１３】
本発明の一実施形態にかかる電気接続箱を図１，２を参照して説明する。本発明の電気接続箱１は、自動車に搭載されて、前記自動車に搭載された電子機器に対して電力供給及び信号伝達を行うものである。
【００１４】
上記電気接続箱１は、図１に示すように、合成樹脂製のケース７と、該ケース７に収容された基板４と、該基板４にネジ固定されたコネクタブロック１０等の複数の基板搭載部品と、を備えている。
【００１５】
上記ケース７は、互いに組み付けられるアッパカバー５及びロアカバー６で構成されている。アッパカバー５には、該アッパカバー５とコネクタブロック１０とをネジ固定するネジ８が取り付けられるネジ取付部１１が設けられている。これらアッパカバー５及びロアカバー６は、互いの間にコネクタブロック１０を位置付ける格好で組み付けられる。
【００１６】
上記基板４は、絶縁板の表面に回路パターンが印刷されたプリント基板である。この基板４には、リレー、ヒューズブロック、コネクタブロック１０等の複数の部品が搭載されている。また、前記リレーは、はんだ付けによって基板４に固定され、前記ヒューズブロック及びコネクタブロック１０は、はんだ付け及びネジ固定によって基板４に固定される。本発明では、前記ヒューズブロックやコネクタブロック１０のように、ネジ８を用いて基板４に固定される部品を『基板搭載部品』と呼ぶ。すなわち、前記リレーのようにはんだ付けのみで基板４に固定される部品は、特許請求の範囲の『基板搭載部品』には含まれない。また、基板４には、前記基板搭載部品を取り付けるためのネジ穴が複数設けられている。
【００１７】
上記コネクタブロック１０は、ワイヤハーネスのコネクタと嵌合されるものであり、複数の端子３ａ，３ｂと、該端子３ａ，３ｂを収容した合成樹脂製のハウジング２と、を備えている。
【００１８】
上記端子３ａ，３ｂは、Ｌ字状に形成されており、一端が基板４にはんだ付けされ、他端がハウジング２内に位置付けられている。
【００１９】
上記ハウジング２は、内側にワイヤハーネスのコネクタを受け入れる箱状のハウジング本体２０と、コネクタブロック１０と基板４とをネジ固定するネジ８が取り付けられる第１取付部２１ａと、コネクタブロック１０とアッパカバー５とを固定するネジ８が取り付けられる第２取付部２１ｂと、で構成されている。
【００２０】
上記ハウジング本体２０は、端子３ａ，３ｂを保持した底壁２３と、底壁２３の外縁から立設した筒状の周壁２４と、で構成されている。また、ワイヤハーネスのコネクタが挿入されるハウジング本体２０の開口部は、ケース７の外部に露出している。
【００２１】
上記第１取付部２１ａは、図２に示すように、ハウジング本体２０の外表面から延設されており、ネジ８が取り付けられるネジ穴が設けられている。また、第１取付部２１ａは、ハウジング本体２０の両端に設けられている（第１取付部２１ａは合計２つ設けられているが、図２に１つのみ示す）。
【００２２】
上記第２取付部２１ｂは、図２に示すように、ハウジング本体２０の外表面から延設されており、ネジ８が取り付けられるネジ穴が設けられている。また、第２取付部２１ｂは、ハウジング本体２０の両端に設けられている（第２取付部２１ｂは合計２つ設けられているが、図２に１つのみ示す）。さらに、第２取付部２１ｂは、基板４を垂直方向、すなわち図１中の矢印Ａ方向、から見た時に第１取付部２１ａと重なる位置に設けられている。
【００２３】
また、図示していない上記ヒューズブロックにも、上記第１取付部２１ａと上記第２取付部２１ｂとが設けられており、この第２取付部２１ｂは、基板４を垂直方向、すなわち図１中の矢印Ａ方向、から見た時に第１取付部２１ａと重なる位置に設けられている。また、本発明では、複数の基板搭載部品のうち少なくとも一つに第２取付部２１ｂが設けられていれば良い。また、第２取付部２１ｂは、一つの基板搭載部品に対して少なくとも一つ設けられていれば良い。
【００２４】
このような電気接続箱１は、第１取付部２１ａが基板４にネジ８で固定され、第２取付部２１ｂがアッパカバー５のネジ取付部１１にネジ８で固定されることによって、基板４がコネクタブロック１０を介してアッパカバー５、すなわちケース７、に固定される。このように、本発明の電気接続箱１は、アッパカバー５及びロアカバー６と基板４とが直接固定されない構成となっている。そのため、基板４におけるネジ固定箇所を少なくすることができ、基板４の大型化を避けることができる。さらに、第２取付部２１ｂが設けられる箇所は、第１取付部２１ａと重なる位置であり、ケース７内のデッドスペースを有効利用することができる。これらのことによって、電気接続箱１の小型化を図ることができる。
【００２５】
また、本発明では、『第１取付部』及び『第２取付部』が図３に示す構成であっても良い。図３に示す２１ｃは、図２に示した第１取付部２１ａと第２取付部２１ｂとが連続して設けられた取付部である。
【００２６】
また、上述した実施形態では、第２取付部２１ｂが、ネジ８によってアッパカバー５に取り付けられる構成であったが、本発明ではこれ以外に、第２取付部がケースに熱溶着される構成であっても良い。また、第２取付部がケースに圧入されて取り付けられる構成であっても良い。
【００２７】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２８】
１  電気接続箱
４  基板
７  ケース
８  ネジ
１０  コネクタブロック（基板搭載部品）
２１ａ  第１取付部
２１ｂ  第２取付部
【図１】
2013005483.tif 000003
【図２】
2013005483.tif 000004
【図３】
2013005483.tif 000005
【図４】
2013005483.tif 000006